(57)【要約】【課題】放熱機能及び位置調整機能、さらにはシールド機能を兼ね備えるとともに、低コストで且つ小型化を可能とした撮像モジュールを提供することが課題である。【解決手段】光軸方向に配置される撮像光学系２と撮像素子３とを夫々組み付けて一体化した撮像モジュール１において、撮像光学系２を保持するレンズ保持体５と、撮像素子が取り付けられ、複数のスルーホールを有する基板４と、熱伝導性を有する材料で形成され、撮像光学系２の光軸に垂直なレンズ保持体２の面５ｃに対して面接触して固定される調整板１０と、調整板１０から延出し、スルーホール４ａに対応した位置に配置される脚部１１と、を備え、スルーホール４ａは前記脚部１１が挿通された時に間隙を有する径に形成され、脚部１１とスルーホール４ａが熱伝導性を有する固定手段２６により固定される構成とした。【選択図】  図１
2010278678.tif 000002
【特許請求の範囲】
【請求項１】
光軸方向に配置される撮像光学系と撮像素子とを夫々組み付けて一体化した撮像モジュールにおいて、
前記撮像光学系を保持するレンズ保持体と、
前記撮像素子が取り付けられ、複数のスルーホールを有する基板と、
熱伝導性を有する材料で形成され、前記撮像光学系の光軸に垂直な前記レンズ保持体の面に対して面接触して固定される調整板と、
前記調整板から延出し、前記スルーホールに対応した位置に配置される脚部と、を備え、
前記スルーホールは前記脚部が挿通された時に間隙を有する径に形成され、前記脚部と前記スルーホールが熱伝導性を有する固定手段により固定されることを特徴とする撮像モジュール。
【請求項２】
光軸方向に配置される撮像光学系と撮像素子とを夫々組み付けて一体化した撮像モジュールにおいて、
前記撮像光学系を保持するレンズ保持体と、
前記撮像素子が取り付けられる基板と、
熱伝導性を有する材料で形成され、前記撮像光学系の光軸に垂直な前記レンズ保持体の面に対して面接触して固定される調整板と、
前記調整板から延出し、該延出した先端部に前記基板が面接触する固定面が設けられた脚部と、を備え、
前記基板は、熱伝導性を有する固定手段により前記固定面にて前記調整板に固定されることを特徴とする撮像モジュール。
【請求項３】
前記調整板は、電磁シールド性を有する材料で形成されることを特徴とする請求項１若しくは２記載の撮像モジュール。
【請求項４】
前記固定手段は、半田付けであることを特徴とする請求項１若しくは２記載の撮像モジュール。
【請求項５】
前記調整板は、前記レンズ保持体に対して前記面接触した部位で締結手段により固定されることを特徴とする請求項１若しくは２記載の撮像モジュール。
【請求項６】
請求項１乃至５記載の撮像モジュールは、車載カメラに搭載されることを特徴とする撮像モジュール。
【発明の詳細な説明】
【技術分野】
【０００１】
本発明は撮像モジュールに関し、特に、撮像光学系と撮像素子の相対位置の調整精度を向上させるとともに撮像素子の放熱性を向上させることを可能とした撮像モジュールに関するものである。
【背景技術】
【０００２】
従来、レンズ群からなる撮像光学系と、ＣＣＤやＣＭＯＳ等から構成される撮像素子とを備えた撮像モジュールが知られており、この撮像モジュールはデジタルカメラやビデオカメラに搭載され、車載カメラや携帯電話機用カメラ、監視カメラなどに幅広く用いられている。
【０００３】
このような撮像モジュールは撮像素子が熱を発生するため、温度が上昇することにより暗電流が増加し、ノイズが発生して画像品質が低下することがある。さらには、撮像素子から発生する放射熱、輻射熱によりレンズ温度が上昇して解像劣化が発生する場合がある。そこで特許文献１（特開２００４−１０４６３２号公報）では、撮像素子の背面に金属製の放熱板を当接配置し、撮像素子で発生した熱を放熱板を通して放熱する構成が開示されている。
また、ノイズが発生する別の原因として、外部からの電磁的な干渉によるものがある。これを防ぐために、特許文献２（特開２００７−４０６８号公報）では、金属等の導電性物質により形成されたシールド体をモジュールケースの内部に配設した構成が開示されている。
【０００４】
さらに上記特許文献２には、撮像光学系と撮像素子の相対的な位置調整を可能とした構成が開示されている。図８は従来のカメラモジュールの全体構成を示す断面図である。同図に示されるように、カメラモジュール５１は、レンズ群５２と、レンズ群５２からの光が結像する撮像素子５３と、撮像素子５３を保持するメイン基板５４と、レンズ群５２及びメイン基板５４を保持するケース５５とを備えており、ケース５５には、レンズ群５２の光軸方向に延びる支持部材５６が設けられ、メイン基板５４は、支持部材５６の側面に対して固定されることによりケース５５に保持されている。このように支持部材５６を備えることにより、レンズ群５２をケース５５に固定した状態でレンズ群５２と撮像素子５３との相対位置を調整可能としている。尚、シールド体５７は、ケース５５の内面に沿ってメイン基板５４を囲むように配置されている。
【先行技術文献】
【特許文献】
【０００５】
【特許文献１】特開２００４−１０４６３２号公報
【特許文献２】特開２００７−４０６８号公報
【発明の概要】
【発明が解決しようとする課題】
【０００６】
車載カメラ等のカメラに搭載される撮像モジュールにあっては、高画質化のために放熱機能やシールド機能を有しつつ、撮像モジュールの各部材を効率的に配置し省スペース化を図り撮像モジュール自体を小型化することが求められるが、従来の撮像モジュールでは放熱板やシールド体を夫々独立して配置した構成となっているため部材及びその配置スペースを要し、小型化が困難であるという問題があった。
特許文献２に記載される撮像光学系と撮像素子の相対位置調整の構成は、支持部材５６をケース５５に取り付ける際に、ケース５５の数箇所にピンをインサート成形する必要があるためコスト高となり、またピン倒れにより位置調整がずれる可能性があった。さらに、ケース５５が樹脂製でないと製造が困難であり、ケース５５を樹脂で製造した場合には、樹脂は金属に比べて熱伝導率が１／１０以下と低いため従来例の構成では基板の発熱を外部へ逃がすことが困難で、基板実装部品に負荷を与えてしまうという問題があった。また、基板の発熱が放熱されないため、発熱量が大きくなり、レンズの温度上昇が発生して、解像劣化が発生する場合がある。
そのため本発明においては、放熱機能及び位置調整機能、さらにはシールド機能を兼ね備えるとともに、低コストで且つ小型化を可能とした撮像モジュールを提供することが課題である。
【課題を解決するための手段】
【０００７】
上記課題を解決するため、第１の発明は、
光軸方向に配置される撮像光学系と撮像素子とを夫々組み付けて一体化した撮像モジュールにおいて、
前記撮像光学系を保持するレンズ保持体と、
前記撮像素子が取り付けられ、複数のスルーホールを有する基板と、
熱伝導性を有する材料で形成され、前記撮像光学系の光軸に垂直な前記レンズ保持体の面に対して面接触して固定される調整板と、
前記調整板から延出し、前記スルーホールに対応した位置に配置される脚部と、を備え、
前記スルーホールは前記脚部が挿通された時に間隙を有する径に形成され、前記脚部と前記スルーホールが熱伝導性を有する固定手段により固定されることを特徴とする。
【０００８】
第１の発明によれば、レンズ保持体と基板の取付部材に調整板を用いることにより、取付部材が一体成形されたレンズ保持体を製造するよりも簡単に且つ安価に製造可能である。
また、スルーホールを脚部断面の径よりも大に形成し、脚部をスルーホールに挿通した時に脚部とスルーホールの間に間隙が形成されるようにしたため、レンズ保持体に固定された調整板に基板を組み付ける際に、撮像光学系に対する撮像素子の相対位置を適切に調整可能で、特に６軸調整を行なうことも可能となり、画質が低下することを防止できる。このとき調整板は、撮像光学系の光軸に垂直なレンズ保持体の面と面接触して配置されるため、調整板の面が撮像光学系の光軸に垂直となり、基準面がぶれることなく基板の位置調整が簡単に行なえる。
さらに、レンズ保持体と基板との間に熱伝導性を有する調整板を介在させ、該調整板をレンズ保持体に対して面接触して固定するとともに、調整板から延出した脚部と基板のスルーホールとが熱伝導性を有する固定手段により固定されることにより、撮像素子で発生する熱は、基板、スルーホールと脚部の固定手段、調整板、面接触したレンズ保持体の順に伝熱されて、撮像素子で発生した熱を効果的に放熱することが可能となる。
【０００９】
別の発明として第２の発明は、光軸方向に配置される撮像光学系と撮像素子とを夫々組み付けて一体化した撮像モジュールにおいて、
前記撮像光学系を保持するレンズ保持体と、
前記撮像素子が取り付けられる基板と、
熱伝導性を有する材料で形成され、前記撮像光学系の光軸に垂直な前記レンズ保持体の面に対して面接触して固定される調整板と、
前記調整板から延出し、該延出した先端部に前記基板が面接触する固定面が設けられた脚部と、を備え、
前記基板は、熱伝導性を有する固定手段により前記固定面にて前記調整板に固定されることを特徴とする。
【００１０】
第２の発明によれば、レンズ保持体と基板の取付部材に調整板を用いることにより、取付部材が一体成形されたレンズ保持体を製造するよりも簡単に且つ安価に製造可能である。
また、調整板から延出した脚部の先端部に、基板が面接触する固定面を設けることで、基板と固定面との間隙を調整して固定手段で固定することが可能となり、レンズ保持体に固定された調整板に基板を組み付ける際に、撮像光学系に対する撮像素子の相対位置を適切に調整可能で、特に６軸調整を行なうことも可能となり、画質が低下することを防止できる。このとき調整板は、撮像光学系の光軸に垂直なレンズ保持体の面と面接触して配置されるため、調整板の面が撮像光学系の光軸に垂直となり、基準面がぶれることなく基板の位置調整が簡単に行なえる。
さらに、レンズ保持体と基板との間に熱伝導性を有する調整板を介在させ、該調整板をレンズ保持体に対して面接触して固定するとともに、調整板から延出した脚部と基板の固定面とが熱伝導性を有する固定手段により固定されることにより、撮像素子で発生する熱は、基板、基板と脚部固定面との固定手段、調整板、面接触したレンズ保持体の順に伝熱されて、撮像素子で発生した熱を効果的に放熱することが可能となる。
【００１１】
また、第１の発明及び第２の発明において、前記調整板は、電磁シールド性を有する材料で形成されることを特徴とする。
このように、調整板が、熱伝導性を有するとともに電磁シールド性を有する材料で形成されることにより、放熱機能と電磁シールド機能を１つの調整板で兼ねることができ、撮像モジュールの小型化が可能となる。
【００１２】
また、第１の発明及び第２の発明において、前記固定手段は、半田付けであることを特徴とする。
このように、固定手段として半田付けを用いることにより、高い熱伝導性を確保するとともに、基板と調整板の接合強度を高くすることが可能となる。
【００１３】
さらに、第１の発明及び第２の発明において、前記調整板は、前記レンズ保持体に対して前記面接触した部位で締結手段により固定されることを特徴とする。
これにより、上記したように調整板の面をレンズ保持体の面と確実に固定することが可能となり、熱伝導性を確保できるとともに調整板の基準面の固定が可能となる。
【００１４】
さらにまた、第１の発明及び第２の発明において、車載カメラに搭載されることを特徴とする。
このように、第１の発明及び第２の発明に記載される撮像モジュールを車載カメラに搭載することにより、車載カメラを小型化することが可能で、且つ撮像光学系と撮像素子との相対位置調整を精度良く行うことが可能である。特に、車載カメラはその使用温度範囲が−３０℃から８５℃と広範囲であるため、組み付け時に撮像光学系と撮像素子の相対位置に僅かでもずれがあると、線膨張によりずれ量が増大して画質が低下する惧れがあるが、本発明の構成を車載カメラに適用することにより組み付け時に撮像光学系と撮像素子を精度良く位置調整することが可能であるため、温度が変化しても画質が低下することを防止できる。また、車両には多くの電子部品が搭載されており様々な電磁ノイズを発生しているため、調整板にシールド性を兼ね備えさせることにより車両側からの電磁ノイズの影響を車載カメラが受けないようにすることができる。また、車載カメラ自体も電磁ノイズを発生しているが、シールド性を有する調整板にて車載カメラ側からの電磁ノイズも遮断でき、周囲の電子部品に影響を与えないようにすることが可能である。
【発明の効果】
【００１５】
以上記載のごとく本発明によれば、レンズ保持体と基板の取付部材に調整板を用いることにより簡単に且つ安価に製造可能である。
また、撮像光学系に対する撮像素子の相対位置を適切に調整可能であるため、画質の低下を防止することが可能である。
さらに、レンズ保持体と基板との間に介在する調整板が熱伝導性を有するとともに、調整板と基板との固定手段も熱伝導性を有するようにしたため、撮像素子で発生する熱を効果的に放熱することが可能となる。
さらにまた、調整板が熱伝導性とともに電磁シールド性を有することにより、放熱機能と電磁シールド機能を兼ね備えることとなり、装置の小型化が図れる。
【図面の簡単な説明】
【００１６】
【図１】本発明の実施例１に係る撮像モジュールの全体構成を示す断面図である。
【図２】レンズ保持体と調整板の組立図である（実施例１）。
【図３】調整板を取り付けたレンズ保持体と基板の組立図である（実施例１）。
【図４】レンズ保持体と調整板と基板を組み付けた斜視図である（実施例１）。
【図５】本発明の実施例２に係る撮像モジュールの全体構成を示す断面図である。
【図６】調整板を取り付けたレンズ保持体と基板の組立図である（実施例２）。
【図７】他の固定面を有する撮像モジュールの側面図である（実施例２）。
【図８】従来の撮像モジュールの全体構成を示す断面図である。
【図９】放熱効果検証実験の結果を示す表である。
【図１０】放熱効果検証実験の装置を示す図で、（ａ）はシールド板を備えない従来例１を示す図、（ｂ）はシールド板を取り付けた従来例２を示す図、（ｃ）はケースを装着した図である。
【発明を実施するための形態】
【００１７】
以下、図面を参照して本発明の好適な実施例を例示的に詳しく説明する。但しこの実例に記載されている構成部品の形状等は、この発明の範囲をそれに限定する趣旨ではなく、単なる説明例に過ぎない。
図１乃至図４は本発明の実施例１に係る撮像モジュールを示す図で、図５乃至図７は本発明の実施例２に係る撮像モジュールを示す図である。本発明の撮像モジュールは、車内又は車外を撮像するための車載カメラ、監視カメラ、又は携帯電話機用カメラ等に搭載される。特に車載カメラに搭載されることが好ましく、座席等の車内を撮像する車載カメラ、又は道路上の白線、駐車線、車両の死角等の車外を撮像するための車載カメラに好適に用いられる。
【実施例１】
【００１８】
図１は本発明の実施例１に係る撮像モジュール１の全体構成を示す断面図である。
撮像モジュール１は、レンズ群７、８、９からなる撮像光学系２と、撮像光学系２からの光が結像する撮像素子３と、撮像素子３が取り付けられた基板４と、撮像光学系２を保持するレンズ保持体５と、レンズ保持体５と基板４の間に介在して配置され基板４をレンズ保持体５に取り付ける調整板１０と、を備えている。
【００１９】
撮像光学系２は、一例として複数のレンズをレンズ保持体５に取り付けた場合を図示したが、単レンズで構成しても良いことは勿論である。また、用途に応じてズームレンズとしたり、焦点調節機構などを備えても良い。図１には一例として、被写体側（紙面左側）から第１レンズ７、第２レンズ８、第３レンズ９が積層的に配置された構成としている。各レンズ７〜９は、例えばガラスやプラスチックにより構成されている。第１レンズ７は、レンズ保持体５の保持部５ａの被写体側の面に当接し、リテーナ２７により被写体側から抑止されている。リテーナ２７は保持部５ａの側面に例えば接着剤やねじ山を設けてねじ込みにより固定されている。第２レンズ８及び第３レンズ９は、保持部５ａに開口する開口部５ｂに圧入され、例えば接着剤により固定されている。
【００２０】
レンズ保持体５は後部ケース６と組み合わせることにより筐体状に形成され、筐体内部の収容空間に撮像素子３や基板４、及び調整板１０を収容している。このレンズ保持体５は、例えばポリカーボネイト（ＰＣ）やポリフタルアミド（ＰＰＡ）等の樹脂により構成されている。
レンズ保持体５は、全体として概ね錐体状に形成されており、前面中央には撮像光学系２を保持する保持部５ａが設けられている。また、レンズ保持体５の前面側内面（被写体と反対側面）には、撮像光学系２の光軸に垂直な面（以下、調整板当接面と称する）５ｃが形成されている。
【００２１】
調整板１０は、平板状に形成されており、熱伝導性を有する材料により構成される。好適には、調整板１０は熱伝導性とともに電磁シールド性を有する材料で構成される。調整板１０には例えば金属材料が用いられ、具体的にはりん青銅、銅、金等が用いられる。また、調整板１０は板金により製造されることが好ましく、これにより寸法精度を高くすることができる。図２に示すように、調整板１０の中央部は、撮像光学系２から撮像素子３への光の進入を阻止しないように光軸に沿って穴部１０ａが形成されている。
また、調整板１０からは複数の脚部１１が延出している。調整板１０と脚部１１は一体に形成され、脚部１１は調整板１０に対して垂直方向に延出している。
調整板１０は、レンズ保持体５の調整板当接面５ｃに対して面接触して固定される。この固定は、例えばレンズ保持体５にねじ穴５ｄを形成し、これに対応して調整板１０にもねじ穴部１０ｂを設け、調整板１０と、レンズ保持体５の調整板当接面５ｃとを面接触させた状態で、ねじ２５をねじ穴部１０ｂとねじ穴５ｄに貫入して締結する。このとき、調整板１０は、レンズ保持体５に対して面接触した部位で固定されることが好ましい。
【００２２】
撮像素子３は、例えばＣＣＤやＣＭＯＳにより構成されている。撮像素子３は、基板４に取り付けられている。基板４は熱伝導率の高いセラミック材料等により構成される。撮像素子３は、本実施例ではより小型化を図るためにＢＧＡ（Ball Grid Array）タイプを用いた例を示している。ＢＧＡタイプは、半田ボールをグリッド状に並べたＩＣパッケージであり周知の装置である。しかしこれに限定されるものではなく、ＣＳＰタイプ（Chip Size Package）、ＱＦＰ（Quad  Flatpack  Package）タイプなど他の構成を備えていてもよい。
基板４の撮像素子３と反対側の面には、撮像素子３からの電気信号を処理するＩＣ１６、基板と不図示のＥＣＵ（エンジン・コントロール・ユニット）等の制御装置とを接続するケーブル１８を接続するためのコネクタ１７等が設けられている。
【００２３】
また、図３に示すように、基板４には複数のスルーホール４ａが形成されている。スルーホール４ａは調整板１０の脚部１１に対応した位置に設けられ、脚部１１の断面よりもその径が大となるように形成されている。従って、調整板１０の脚部１１がスルーホール４ａに挿通された時、脚部１１とスルーホール４ａの間に間隙ができ、この間隙により調整板１０と基板４の相対位置、即ち撮像光学系２と撮像素子３の相対位置を調整可能となる。図４に示すように、この相対位置を適切に調整した状態で、スルーホール４ａと脚部１１は固定手段２６により固定される。
固定手段２６は、熱伝導性を有する手段であり、例えば半田付けにより固定する手段、熱伝導性を有する接着剤により固定する手段等が挙げられる。熱伝導性と接合強度を考慮すると固定手段２６は半田付けであることが好ましい。固定手段２６は熱伝導性を有する手段であるため、基板４と脚部１１との伝熱は固定手段２６により阻害されない。
【００２４】
次いで、上記構成を備える撮像モジュール１の組み付け方法につき説明する。
まず、レンズ保持体５に第１レンズ７、第２レンズ８、第３レンズ９からなる撮像光学系２を取り付けるとともに、リテーナ２７により固定する。これにより、撮像光学系２は、レンズ保持体５に対して光軸方向、光軸周り及び光軸に直交する方向のいずれの方向においても移動不可能となる。
【００２５】
次に、図２に示すように、調整板１０を、脚部１１が被写体とは反対側に向くようにしてレンズ保持体５に取り付ける。具体的には、調整板１０がレンズ保持体５の調整板当接面５ｃに面接触するように配置し、ねじ２５により調整板１０をレンズ保持体５に固定する。
そして、図３に示すように、撮像素子３が取り付けられた基板４を調整板１０の脚部１１に取り付ける。具体的には、基板４のスルーホール４ａに調整板１０の脚部１１を挿通して基板４の位置決めを行なう。この際、ケーブル１８は不図示の検査装置に接続されており、撮像素子３により撮像された画像は検査装置により参照されて評価される。例えば、撮像光学系２から所定距離だけ離れた試験用被写体に撮像モジュール１のピントが合っているか否か評価される。尚、撮像素子３により撮像された画像をモニタに表示し、作業者が画像を確認することにより画質を評価してもよい。そして、当該評価に基づいて基板４の位置決めが行なわれる。
【００２６】
位置決めにおいてスルーホール４ａに脚部１１を挿通した時に、スルーホール４ａと脚部１１の間には間隙が形成されるため、光軸方向の位置、光軸に対する傾き、光軸に直交する方向の位置など、６軸調整が可能となる。その後、位置決めした状態を保持して固定手段２６によりスルーホール４ａと脚部１１を固定する。その他必要な部品が組み付けられた後に後部ケース６をレンズ保持体５に固定する。
【００２７】
このように本実施例１によれば、レンズ保持体５と基板４の取付部材に調整板１０を用いることにより、取付部材が一体成形されたレンズ保持体５を製造するよりも簡単に且つ安価に製造可能となる。
また、スルーホール４ａの径を脚部１１断面の径よりも大とし、脚部１１をスルーホール４ａに挿通した時に脚部とスルーホール４ａの間に間隙が形成されるようにしたため、レンズ保持体５に固定された調整板１０に基板４を組み付ける際に、撮像光学系２に対する撮像素子の相対位置を適切に調整可能で、特に６軸調整を行なうことも可能となり、画質の低下を防止できる。このとき調整板１０は、撮像光学系２の光軸に垂直なレンズ保持体５の調整板当接面５ｃと面接触して配置されるため、調整板１０の面が撮像光学系２の光軸に垂直となり、基準面がぶれることなく基板４の位置調整が簡単に行なえる。
【００２８】
さらに、レンズ保持体５と基板４との間に熱伝導性を有する調整板１０を介在させ、該調整板１０をレンズ保持体５に対して面接触して固定するとともに、調整板１０から延出した脚部１１と基板４のスルーホール４ａとが熱伝導性を有する固定手段２６により固定されることにより、撮像素子３で発生する熱は、基板４、スルーホール４ａと脚部１１の固定手段２６、調整板１０、面接触したレンズ保持体５の順に伝熱されて、撮像素子３から効果的に放熱することが可能となる。
さらにまた、調整板１０が、熱伝導性を有するとともに電磁シールド性を有する材料で形成されることにより、放熱機能と電磁シールド機能を１つの調整板１０で兼ねることができ、撮像モジュール１の小型化が可能となる。
【実施例２】
【００２９】
図５は本発明の実施例２に係る撮像モジュールの全体構成を示す断面図である。尚、実施例２において上記した実施例１と同一の構成については、その詳細な説明を省略する。
撮像モジュール１は、レンズ群７、８、９からなる撮像光学系２と、撮像光学系２からの光が結像する撮像素子３と、撮像素子３が取り付けられた基板４と、撮像光学系２を保持するレンズ保持体５と、レンズ保持体５と基板４の間に介在して配置され基板４をレンズ保持体５に取り付ける調整板１０と、を備えている。
【００３０】
レンズ保持体５には、第１レンズ７、第２レンズ８、第３レンズ９が夫々固定される。撮像光学系２の光軸に垂直なレンズ保持体５の調整板当接面５ｃには、調整板１０が面接触するように固定される。
調整板１０からは複数の脚部１１が延出し、該脚部１１の先端部には、基板４が面接触する固定面１２が設けられている。固定面１２は、図５及び図６に示されるように脚部１１を屈曲させて固定面１２を形成するようにしてもよいし、図７に示すようにＴ字状に固定面１２を形成してもよい。
基板４は、その被写体側に撮像素子３が取り付けられており、被写体と反対側にはＩＣ１６やコネクタ１７が設けられている。
【００３１】
調整板１０の脚部１１は、その固定面１２が基板４の被写体側に面接触されて固定手段２６により固定される。固定手段２６は、熱伝導性を有する手段であり、例えば半田付けにより固定する手段、熱伝導性を有する接着剤により固定する手段等が挙げられる。熱伝導性と接合強度を考慮すると固定手段２６は半田付けであることが好ましい。固定手段２６は熱伝導性を有する手段であるため、基板４と脚部１１との熱伝導は固定手段２６により阻害されない。
調整板１０の脚部１１を基板４に組み付ける方法においては、実施例１と同様に、撮像光学系２と撮像素子３の相対位置の調整を行なって位置決めを行った後、位置決めした状態を保持して固定手段２６により調整板１０の脚部固定面１２と基板４を固定する。このとき、実施例２では脚部固定面１２と基板４の間隙を微調整して位置決めを行なう。
【００３２】
このように本実施例２によれば、レンズ保持体５と基板４の取付部材に調整板１０を用いることにより、取付部材が一体成形されたレンズ保持体５を製造するよりも簡単に且つ安価に製造可能となる。
また、調整板１０から延出した脚部１１の先端部に、基板４と面接触する固定面１２を設けることで、基板４と固定面１２との間隙を調整して固定手段２６で固定することが可能となり、レンズ保持体５に固定された調整板１０に基板４を組み付ける際に、撮像光学系２に対する撮像素子３の相対位置を適切に調整可能で、特に６軸調整を行なうことも可能となり、画質の低下を防止できる。このとき調整板１０は、撮像光学系２の光軸に垂直なレンズ保持体５の調整板当接面５ｃと面接触して配置されるため、調整板１０の面が撮像光学系２の光軸に垂直となり、基準面がぶれることなく基板４の位置調整が簡単に行なえる。
【００３３】
さらに、レンズ保持体５と基板４との間に熱伝導性を有する調整板１０を介在させ、該調整板をレンズ保持体５に対して面接触して固定するとともに、調整板１０から延出した脚部１１の固定面１２と基板４とが熱伝導性を有する固定手段２６により固定されることにより、撮像素子３で発生する熱は、基板４、基板４と脚部固定面１２との固定手段２６、調整板１０、面接触したレンズ保持体５の順に伝熱されて、撮像素子３から効果的に放熱することが可能となる。
さらにまた、調整板１０が、熱伝導性を有するとともに電磁シールド性を有する材料で形成されることにより、放熱機能と電磁シールド機能を１つの調整板１０で兼ねることができ、撮像モジュール１の小型化が可能となる。
【００３４】
（放熱効果検証実験）
本実施例に係る撮像モジュールの放熱効果を検証する実験を行なった。実験では、従来例１として図１０（ａ）に示すようにシールド板無しの場合と、従来例２として図１０（ｂ）に示すように基板にシールド板５７を取り付けた場合と、本実施例として図１の実施例1に示すように調整板１０を取り付けた場合と、において実験を行なった。具体的には、従来例１、２は従来技術で説明した特許文献２の図１の構成を採用している。
尚、何れの場合も図１０（ｃ）に示すように樹脂製のケース６を被せて実験を行なった。
【００３５】
従来例１、従来例２、及び本実施例において、センサーの上、基板表面、基板裏面、レンズにおける通電時の飽和温度（Δｔ（℃））を夫々測定した結果を図９（ａ）の表に示す。次いで、従来例２と本実施例において放熱効果（℃）を測定した結果を図９（ｂ）の表に示す。さらに、従来例２と本実施例との放熱効果の差を図９（ｃ）の表に示す。この表からも明らかなように、本実施例は従来例２に比べてセンサーの上では−１０℃、基板表面では−１０℃、基板裏面では−１０℃、レンズでは−５℃、放熱効果が高くなり、本実施例を用いることにより基板温度、レンズ温度を効果的に下げることが可能で、解像度の劣化を抑えることが可能となる。
【産業上の利用可能性】
【００３６】
本発明の撮像モジュールは、放熱機能及び位置調整機能、さらにはシールド機能を兼ね備えるとともに、低コストで且つ小型化を可能としているため、車載カメラ、監視カメラ、携帯端末用カメラ等の各種カメラに好適に利用することが可能である。
【符号の説明】
【００３７】
１    撮像モジュール
２    撮像光学系（レンズ群）
３    撮像素子
４    基板
４ａ  スルーホール
５    レンズ保持体
１０  調整板
１１  脚部
１２  固定面
２６  固定手段
【図１】
2010278678.tif 000003
【図２】
2010278678.tif 000004
【図３】
2010278678.tif 000005
【図４】
2010278678.tif 000006
【図５】
2010278678.tif 000007
【図６】
2010278678.tif 000008
【図７】
2010278678.tif 000009
【図８】
2010278678.tif 000010
【図９】
2010278678.tif 000011
【図１０】
2010278678.tif 000012